(57)【特許請求の範囲】
【請求項１】
電気所等の各種システムを遠隔監視するためにシステムに設けた各種センサからの情報を通信ネットワーク上に送出する通信機器と、当該通信機器の電源装置とを収納した通信機器収納エンクロージャであって、
前記電源装置を、電圧変換手段及びノイズ除去手段を備えた入力側電源ユニットと、電力の出力端子及び電源スイッチを備えた出力側電源ユニットとに２分割して上下に配置すると共に、その中間に前記通信機器を配置し、
更に前記電源装置と前記通信機器の組を左右に２組設置し、一方の組が故障しても通信を継続可能としたことを特徴とする通信機器収納エンクロージャ。
【請求項２】
上下に分割配置した前記電源装置は、エンクロージャ内前方に配置して後方に空間を設ける一方、中央に配置した前記通信機器は、エンクロージャ内後方に配置して前方及び上下方向に空間を設けて成り、
前記通信機器は、エンクロージャ背部から前方へ突設されたレール装置に前後動可能に装着され、引出可能であることを特徴とする請求項１記載の通信機器収納エンクロージャ。
【請求項３】
出力側電源ユニットの下部に配線を保持する配線保持手段を備えたことを特徴とする請求項１又は２記載の通信機器収納エンクロージャ。
【発明の詳細な説明】
【技術分野】
【０００１】
本発明は、電気所等に設置してＬＡＮ等に接続して情報を外部に送信する通信機器とその電源を収容する通信機器収納エンクロージャに関する。
【背景技術】
【０００２】
従来の電気所等に設置して電圧情報や波形情報等の変電情報を、ＬＡＮ等を使用して遠方の管理センター等に送信する通信機器及びその電源装置を収納した通信機器収納エンクロージャは、例えば特許文献１に開示されたエンクロージャに収納されていた。
この特許文献１のエンクロージャは、開放可能な前面を有し、内部に通信機器とこの通信機器に電力を供給する電源装置とが独立したユニットに収納されて配置されていた。
【先行技術文献】
【特許文献】
【０００３】
【特許文献１】意匠登録第１２４４１９２号公報
【発明の概要】
【発明が解決しようとする課題】
【０００４】
上記特許文献１のエンクロージャは、エンクロージャに通信機器とその電源装置が独立したユニットに収納されて配置されているため、外来ノイズに対する対策がし易い利点があった。
しかしながら、電源装置と通信機器は同じ台座に取り付けられたため、通信機器のみメンテナンスする場合でも電源装置を合わせて取り出さなければならなかった。また、一組しか収納されていないため、故障した場合は情報の送出がストップするし、メンテナンスする場合も電源をオフして通信機器の動作を停止させる必要があり、この場合も情報がストップしていた。
【０００５】
この情報がストップする問題は、通信機器と電源装置の組を２組設ければ解決することができる。しかし、その場合は単純に２組収納するスペースを備えれば良い訳ではなく、個々の機器から発せられる熱から機器を保護するための放熱空間も確保しなければならない。そのため、エンクロージャが従来のものに比べて極端に大きくなってしまい、従来の通信機器収納エンクロージャの設置空間を利用して設置するのが難しくなり、設置場所が限定されてしまう。
【０００６】
そこで、本発明はこのような問題点に鑑み、電源装置と通信機器の組を２組効率良く収納し、エンクロージャの大型化を最小限に抑えた通信機器収納エンクロージャを提供することを目的としている。
【課題を解決するための手段】
【０００７】
上記課題を解決する為に、請求項１の発明は、電気所等の各種システムを遠隔監視するためにシステムに設けた各種センサからの情報を通信ネットワーク上に送出する通信機器と、当該通信機器の電源装置とを収納した通信機器収納エンクロージャであって、前記電源装置を、電圧変換手段及びノイズ除去手段を備えた入力側電源ユニットと、電力の出力端子及び電源スイッチを備えた出力側電源ユニットとに２分割して上下に配置すると共に、その中間に前記通信機器を配置し、更に前記電源装置と前記通信機器の組を左右に２組設置し、一方の組が故障しても通信を継続可能としたことを特徴とする。
この構成によれば、電源を入力系と出力系とで分割して上下に配置することで、双方のの奥行きを小さくできる。その結果、エンクロージャ内の電源装置後方或いは前方に空間を確保することができ、放熱空間を予め寸法に加えてエンクロージャを作製しなくても放熱空間の確保が可能となり、エンクロージャの小型化に貢献できる。そして、電源及び通信系統を２系統設けることで、一方が故障或いは停止しても通信を継続させることができるし、メンテナンスの際にも通信を停止させないで済む。
【０００８】
請求項２の発明は、請求項１に記載の構成において、上下に分割配置した前記電源装置は、エンクロージャ内前方に配置して後方に空間を設ける一方、中央に配置した前記通信機器は、エンクロージャ内後方に配置して前方及び上下方向に空間を設けて成り、前記通信機器は、エンクロージャ背部から前方へ突設されたレール装置に前後動可能に装着され、引出可能であることを特徴とする。
この構成によれば、通信機器上下には放熱空間が形成されるため、電源装置と通信機器との上下方向の距離を充分設けなくても、各機器を熱から保護することができる。
【０００９】
請求項３の発明は、請求項１又は２に記載の構成において、出力側電源装置の下部に配線を保持する配線保持手段を備えたことを特徴とする。
この構成によれば、電源装置から通信機器に接続される電力線を効果的に保持させることができ、通信機器を引き出す際に電力線が邪魔にならない。
【発明の効果】
【００１０】
本発明によれば、電源を入力系と出力系とで分割して上下に配置することで、電源装置の奥行きを小さくできる。その結果、エンクロージャ内の電源装置後方或いは前方に空間を確保することができ、放熱空間を予め寸法に加えてエンクロージャを作製しなくても放熱空間の確保が可能となり、エンクロージャの小型化に貢献できる。そして、電源及び通信系統を２系統設けることで、一方が故障或いは停止しても通信を継続させることができるし、メンテナンスの際にも通信を停止させないで済む。
【図面の簡単な説明】
【００１１】
【図１】本発明に係る通信機器収納エンクロージャの一例を示す正面説明図である。
【図２】図１のＡ−Ｂ線断面説明図、及びＣ−Ｄ線断面説明図である。
【図３】図１のＥ−Ｆ線断面説明図である。
【図４】レール装置を示し、（ａ）は側面図、（ｂ）は平面図である。
【図５】通信機器を引き出した状態のレール装置を示し、（ａ）は側面図、（ｂ）は平面図である。
【図６】通信機器を引き出して回動した状態を示すレール装置の側面説明図である。
【図７】エンクロージャ内の電源線、信号線の配線状態を示し、（ａ）は正面説明図、（ｂ）は側面説明図である。
【発明を実施するための形態】
【００１２】
以下、本発明を具体化した実施の形態を、図面に基づいて詳細に説明する。図１は本発明に係る通信機器収納エンクロージャの正面説明図であり、１はエンクロージャ、２ａは入力側電源ユニット、２ｂは出力側電源ユニット、４は通信機器としての通信ユニット、５は通信ユニット４を保持すると共にその引き出しを案内するレール装置である。何れのユニットも金属製の箱体内に回路や機器が収納されて構成されている。
そして、入力側電源ユニット２ａと出力側電源ユニット２ｂとで通信ユニット４へ電源を供給する１つの電源装置２を構成し、図１に示すようにエンクロージャ１内の左右に電源装置２と通信ユニット４の組が一対（２系統）組み込まれている。尚、Ｍは中心線を示している。
【００１３】
エンクロージャ１は四角形の箱体であり、前面には図示しない扉が設けられて開放可能に構成されている。上下左右の面及び背面は閉塞され、左右側面及び扉には放熱の為の複数のスリット状開口部が形成され、左右側面又は背板には電源線及び信号線入出のための開口部が設けられている（図示せず）。
また、エンクロージャ１は、入力側電源ユニット２ａ、出力側電源ユニット２ｂ、通信ユニット４の個々の高さの合計より僅かに大きな高さを有し、電源装置２あるいは通信ユニット４を左右に並べて配置できる幅を備えて形成されている。
【００１４】
図２、図３は通信機器収納エンクロージャの断面説明図であり、図２は中心線Ｍより左が図１に示すＡ−Ｂ線断面、右がＣ−Ｄ線断面を示し、図３はＥ−Ｆ線断面を示している。この図２、図３に示すように、入力側電源ユニット２ａ、出力側電源ユニット２ｂ、及び通信ユニット４は、何れもエンクロージャ１の奥行きに対して充分短い奥行きで形成され、入力側電源ユニット２ａ及び出力側電源ユニット２ｂは、背部に空間を有するよう前方に配置され、通信ユニット４は前方に空間を有するよう後方に配置されている。
また、入力側電源ユニット２ａは、エンクロージャ１内の最下部に設置される一方、出力側電源ユニット２ｂは最上部に設置され、通信ユニット４はその中間に配置されている。
【００１５】
以下、各ユニットを具体的に説明する。入力側電源ユニット２ａは、ＤＣ／ＤＣコンバータやノイズフィルタが組み込まれ、エンクロージャ１の底板上に取り付けられた略コ字状の下側保持枠１２に収容するように配置されている。このユニットは、前面左右端部に設けられたローレットビス１３で下側保持枠１２の所定部位にねじ止めして固定される。
【００１６】
出力側電源ユニット２ｂは、出力端子１０や電源スイッチ１１が前面に組み込まれ、エンクロージャ１の天板に取り付けられた略コ字状の上側保持枠７に収容するように配置されている。このユニットの固定は、前面左右端部に設けられたローレットビス８で上側保持枠７の所定部位にねじ止めして固定される。また、出力側電源ユニット２ｂの下面には電源線を保持するためのリング状の電線保持片１４が複数取り付けられている。
こうして、電源装置２を２分割して配置することで、双方のユニットの奥行きを短くできるため、その背部である通信ユニット４の上下に図３に示すように空間Ｓ１及び空間Ｓ２を設けることができる。この空間は、通信ユニット４の上下方向に必要な放熱空間として活用できる。
【００１７】
通信ユニット４は、スイッチングハブ等が組み込まれ、外部のＬＡＮに接続するためのコネクタ１６、電源線を接続する電源端子１７が前面に設けられている。また、通信ユニット４の周囲には、レール装置５の一部を成すスライド枠体２２が装着されている。
【００１８】
以下、この通信ユニット４を引き出すためのレール装置５を説明する。図４及び図５はレール装置５を示し、図４は通信ユニットを収納した状態、図５は通信ユニットを引き出した状態を示している。尚、（ａ）は側面図、（ｂ）は平面図である。
レール装置５は、エンクロージャ１の背板にねじ止め等で固着されたレール体２１と、通信ユニット４に装着され、レール体２１に係合して前後に摺動するスライド枠体２２とを有している。
【００１９】
レール体２１は、帯状金属片を折り曲げて形成され、全体がコ字状に形成されている。折り曲げた左右は、前方に向けて平行に延設されたレール片２１ａを形成し、中央部はエンクロージャ１の背板に連結して固定するための固定片２１ｂを形成している。このレール片２１ａは、通信ユニット４の幅より僅かに広い間隔で配置され、その略中央にはスライド枠体２２を案内するための案内溝２３が前後に亘り穿設されている。
【００２０】
レール片２１ａの先端には、収納したスライド枠体２２の先端部と連結するための連結片２４が設けられ、ローレットビス２５を螺入するねじ孔が形成されている。
案内溝２３は直線で形成され、その先端下部にはスライド枠体２２を前傾させるための半円状切り欠き２６が形成されている。図６の側面図は、こうして通信ユニット４を傾倒させた状態を示している。
【００２１】
スライド枠体２２は、レール体２１と同様に帯状金属片を折り曲げて形成され、全体がコ字状に形成されている。折り曲げた左右は、前方に向けて平行に延設されたスライド片２２ａを形成し、中央部は通信ユニット４に連結して固定する固定片２２ｂを形成している。このスライド枠体２２は、左右のスライド片２２ａの間隔がレール片２１ａの間隔より僅かに狭く形成されており、レール体２１の内側にスライド枠体２２が重なるように配置される。
このスライド枠体２２及びレール体２１は、例えば汎用のＤＩＮシャーシを使用して作製することができる。
【００２２】
また、スライド片２２ａの基部には、案内溝２３に係合する突起体３０が左右に突設され、スライド枠体２２の案内溝２３に沿った摺動を可能としているし、スライド片２２ａの先端には、左右の外側方向に折り曲げ形成された操作片２８を備え、レール体２１に連結するためのローレットビス２５が装着されている。
【００２３】
更に、スライド片２２ａの基部下辺、及び先端部上辺には、レール片２１ａに係合してスライド枠体２２の上下方向の傾倒を防止するための舌片２９ａ，２９ｂが突設され、後方に設けられた舌片２９ａがレール片２１ａに係合することで、上記図６に示す通信ユニット４を前傾させた状態が保持される。
そして、一方のスライド片２２ａの先端には、信号線を保持するための透孔３０ａが形成され、引き出す際の摘みとして使用される把持片３０が設けられている。
【００２４】
図７は、このように構成された通信機器エンクロージャ内の前面側の配線状態を示している。（ａ）は正面説明図、（ｂ）は側面説明図であり、この図７に示すように、電源装置２と通信ユニット４との接続は、出力側電源ユニット２ａの前面に設けられている出力端子１０と、通信ユニット４の前面側に設けられている電源端子１７とを電源線Ｌ１で接続して実施される。この電源線Ｌ１は、途中電線保持片１４に挿通し保持される。
また、通信ユニット４から出力される信号を外部のＬＡＮ等に送出する信号線としてのケーブルＬ２は、通信ユニット４前面に設けられたコネクタ１６から把持片３０の透孔３０ａに挿通して保持された後、エンクロージャ１の側板等に設けられた配線挿通孔から外部に送出される。
【００２５】
こうして収容された入力側電源ユニット２ａ、出力側電源ユニット２ｂ、及び通信ユニット４は、収納状態でローレットビス８，１３，２５によりエンクロージャ１内に固定される。
逆に、ローレットビス８，１３を外せば、入力側電源ユニット２ａ、出力側電源ユニット２ｂを取り出すことができる。また、ローレットビス２５によるレール体２１とスライド枠体２２の連結を外せば、通信ユニット４を引き出すことができる。スライド枠体２２を引き出せば、図３或いは図７に示すように、レール装置５を利用して通信ユニット４を奥部の収容位置から想像線で示す前方の位置まで引き出すことができる。
そして、引き出した状態で図６に示すように、前傾姿勢させて保持することができるので、結線作業等がし易い。更にこの状態から引き出せば、スライド枠体２２を通信ユニット４と共にレール体２１から完全に分離しエンクロージャ１から取り出すことができる。
【００２６】
このように、奥行きを小さくした電源装置２（入力側電源ユニット２ａ及び出力側電源ユニット２ｂ）を前方に配置すれば電源装置２後方に空間を確保することができ、放熱空間を予め寸法に加えてエンクロージャを作製しなくても通信ユニット４周囲の放熱空間の確保が可能となり、エンクロージャの小型化に貢献できる。そして、電源及び通信系統を２系統設けることで、一方が故障或いは停止しても通信を継続させることができるし、メンテナンスの際にも通信を停止させないで済む。
また、出力側電源ユニット２ｂの前面側下面に電線を保持するリング状の電線保持片を設けることで、電源装置２から通信ユニット４に接続される電源線Ｌ１を効果的に保持させることができ、通信ユニット４を引き出す際に電力線が邪魔にならないし、電源装置２と通信ユニット４とを独立して取り出すことができるので、メンテナンスし易い。
【００２７】
尚、上記実施形態では、入力側電源ユニット２ａを下に配置し、出力側電源ユニット２ｂを上に配置しているが逆でも良い。また、入力側電源ユニット２ａ及び出力側電源ユニット２ｂを前方に配置し、通信ユニット４を後方に配置しているが、これも逆にしても良く、通信ユニット４に取り付けたレール装置５を電源装置２に取り付ければ、後方に配置しても引き続き容易に取り外すことができる。
【符号の説明】
【００２８】
１・・エンクロージャ、２・・電源装置、２ａ・・入力側電源ユニット、２ｂ・・出力側電源ユニット、４・・通信ユニット（通信機器）、５・・レール装置、１４・・電線保持片（配線保持手段）、２１・・レール体、２１ａ・・レール片、２１ｂ・・固定片、２２・・スライド枠体、２２ａ・・スライド片、２２ｂ・・固定片、２３・・案内溝、２８・・操作片、３０・・把持片。
【図１】
0005414605.tif 000002
【図２】
0005414605.tif 000003
【図３】
0005414605.tif 000004
【図４】
0005414605.tif 000005
【図５】
0005414605.tif 000006
【図６】
0005414605.tif 000007
【図７】
0005414605.tif 000008